(57)【要約】【課題】タイル等の仕上げ材がＡＬＣパネルなどの板材間を跨ぐように張り付けられていても、層間変位時等に板材や仕上げ材に破損が生じることを防止することができる外壁構造を提供する。【解決手段】複数枚のＡＬＣパネル１の縦ジョイントＪ１及び横ジョイントＪ２にあっては、ＡＬＣパネル１の木端面同士の突き合わせ面のうち前面側は凹所となっている。この凹所の奥側にシーリング５が充填され、このシーリング５の前面側に弾性パテ６が充填されている。縦ジョイントＪ１を跨ぐようにしてジョイントテープ１０が貼り付けられ、横ジョイントＪ２を跨ぐようにしてジョイントテープ１１が貼り付けられている。タイル１３を弾性接着剤１２によって張り付ける。タイル１３の割り付けに際しては、タイル１３がジョイントＪ１，Ｊ２に重なってもよいようにする。【選択図】図１
2008231728.tif 000002
【特許請求の範囲】
【請求項１】
板材を配列してなる外壁下地に対して仕上げ材を張り付けてなる外壁構造において、
該板材同士の縦ジョイントに弾性材料が充填され、
該縦ジョイント近傍の板材前面にジョイントテープ貼付強度増大剤が塗布され、
該縦ジョイントを覆うようにジョイントテープ貼付強度増大剤の上にジョイントテープが貼着されており、
一部の前記仕上げ材は、該縦ジョイントを左右方向に跨いで張り付けられており、該一部の仕上げ材と少なくとも一方の板材との間に該ジョイントテープが存在することを特徴とする外壁構造。
【請求項２】
請求項１において、前記ジョイントテープの左右幅は、その上に張り付けられた前記仕上げ材の左右幅よりも大きいことを特徴とする外壁構造。
【請求項３】
請求項１又は２において、該板材の横ジョイント間に弾性材料が充填されていることを特徴とする外壁構造。
【請求項４】
請求項１ないし３のいずれか１項において、前記板材はＡＬＣパネルであることを特徴とする外壁構造。
【請求項５】
請求項１ないし４のいずれか１項において、前記弾性材料は弾性パテ又は弾性接着剤であることを特徴とする外壁構造。
【請求項６】
請求項１ないし４のいずれか１項において、前記弾性材料は弾性パテであり、前記ジョイントテープ貼付強度増大剤はこの弾性パテと同じ弾性パテであることを特徴とする外壁構造。
【請求項７】
請求項６において、前記板材の前面にプライマーが塗布され、その上に前記弾性パテが塗布されていることを特徴とする外壁構造。
【請求項８】
請求項１ないし７のいずれか１項において、前記仕上げ材はタイル、石材又はセメント系硬化体であることを特徴とする外壁構造。
【請求項９】
請求項１ないし８のいずれか１項において、前記ジョイントテープを貼った外壁下地に対しネットを取り付けてから前記仕上げ材が張り付けられていることを特徴とする外壁構造。
【請求項１０】
板材を配列してなる外壁下地に対して仕上げ材を張り付ける外壁工法において、
該板材同士の縦ジョイントに弾性材料を充填し、
該縦ジョイント近傍の板材前面にジョイントテープ貼付強度増大剤を塗布し、
該縦ジョイントを覆うようにジョイントテープ貼付強度増大剤の上にジョイントテープを貼着し、
一部の前記仕上げ材を、該縦ジョイントを左右方向に跨いで張り付けることを特徴とする外壁工法。
【請求項１１】
請求項１０において、前記ジョイントテープを貼った外壁下地に対しネットを取り付けてから前記仕上げ材を張り付けることを特徴とする外壁工法。
【発明の詳細な説明】
【技術分野】
【０００１】
本発明は、タイル等で仕上げられた外壁構造及び工法に係り、特に下地板がＡＬＣ板のように周り性が高い場合に好適な外壁構造及び工法に関する。
【背景技術】
【０００２】
ＡＬＣパネル（オートクレーブ処理された軽量気泡コンクリート板）を壁下地板とし、その上にタイル張りする外壁構造及び工法が公知である（特開平１１−１３２５１）。
【０００３】
このＡＬＣパネルは基材強度が比較的低く、割れることがある。例えば、陶磁器製のタイルをＡＬＣパネルに跨って張り、その結果ＡＬＣパネル同士が剛に接合された場合、地震等によって層間変位が生じたときにこのタイルの接着剤付近でＡＬＣパネルに破損が生じることがある。
【０００４】
そのため、従来、ＡＬＣパネルにタイルを張る場合、タイルがＡＬＣパネル間に跨らないようにする割り付け（板内割り付け）としていた。
【特許文献１】特開平１１−１３２５１
【発明の開示】
【発明が解決しようとする課題】
【０００５】
本発明は、タイル等の仕上げ材がＡＬＣパネルなどの板材間を跨ぐように張り付けられていても、層間変位時等に板材や仕上げ材に破損が生じることを防止することができる外壁構造及び工法を提供することを目的とする。
【課題を解決するための手段】
【０００６】
請求項１の外壁構造は、板材を配列してなる外壁下地に対して仕上げ材を張り付けてなる外壁構造において、該板材同士の縦ジョイントに弾性材料が充填され、該縦ジョイント近傍の板材前面にジョイントテープ貼付強度増大剤が塗布され、該縦ジョイントを覆うようにジョイントテープ貼付強度増大剤の上にジョイントテープが貼着されており、一部の前記仕上げ材は、該縦ジョイントを左右方向に跨いで張り付けられており、該一部の仕上げ材と少なくとも一方の板材との間に該ジョイントテープが存在することを特徴とするものである。
【０００７】
請求項２の外壁構造は、請求項１において、前記ジョイントテープの左右幅は、その上に張り付けられた前記仕上げ材の左右幅よりも大きいことを特徴とするものである。
【０００８】
請求項３の外壁構造は、請求項１又は２において、該板材の横ジョイント間に弾性材料が充填されていることを特徴とするものである。
【０００９】
請求項４の外壁構造は、請求項１ないし３のいずれか１項において、前記板材はＡＬＣ板であることを特徴とするものである。
【００１０】
請求項５の外壁構造は、請求項１ないし４のいずれか１項において、前記弾性材料は弾性パテ又は弾性接着剤であることを特徴とするものである。
【００１１】
請求項６の外壁構造は、請求項１ないし４のいずれか１項において、前記弾性材料は弾性パテであり、前記ジョイントテープ貼付強度増大剤はこの弾性パテと同じ弾性パテであることを特徴とするものである。
【００１２】
請求項７の外壁構造は、請求項６において、前記板材の前面にプライマーが塗付され、その上に前記弾性パテが塗布されていることを特徴とするものである。
【００１３】
請求項８の外壁構造は、請求項１ないし７のいずれか１項において、前記仕上げ材はタイル、石材又はセメント系硬化体であることを特徴とするものである。
【００１４】
請求項９の外壁構造は、請求項１ないし８のいずれか１項において、前記ジョイントテープを貼った外壁下地に対しネットを取り付けてから前記仕上げ材が張り付けられていることを特徴とするものである。
【００１５】
請求項１０の外壁工法は、板材を配列してなる外壁下地に対して仕上げ材を張り付ける外壁工法において、該板材同士の縦ジョイントに弾性材料を充填し、該縦ジョイント近傍の板材前面にジョイントテープ貼付強度増大剤を塗布し、該縦ジョイントを覆うようにジョイントテープ貼付強度増大剤の上にジョイントテープを貼着し、一部の前記仕上げ材を、該縦ジョイントを左右方向に跨いで張り付けることを特徴とするものである。
【００１６】
請求項１１の外壁工法は、請求項１０において、前記ジョイントテープを貼った外壁下地に対しネットを取り付けてから前記仕上げ材を張り付けることを特徴とするものである。
【発明の効果】
【００１７】
本発明では、板材同士の縦ジョイントに弾性材料が充填されており、板材同士が周りに結合されていない。この板材同士の縦ジョイントを跨いでジョイントテープが貼着されている。そして、縦ジョイントを跨ぐように仕上げ材を張り付けても、この仕上げ材と少なくとも一方の板材との間にはジョイントテープが存在する。このジョイントテープが弾力性を有しているところから、層間変位等が生じたときに板材や仕上げ材に生じる応力が軽減され、それらの破損が防止される。
【００１８】
本発明では、板材の前面にパテ等のジョイントテープ貼付強度増大剤を塗布しているので、ジョイントテープが板材にしっかりと付着する。
【００１９】
本発明では、ジョイントテープの左右幅を、その上に張られる仕上げ材の左右幅よりも大きくすることが好ましい。このようにすることにより、隣接する板材に跨がる仕上げ材が双方の板材に直に接着されることがない。即ち、少なくとも一方の板材と当該仕上げ材との間には必らずジョイントテープが介在することになる。この結果、板材や仕上げ材の破損がより確実に防止される。
【００２０】
本発明では、横ジョイントについても弾性材料が充填されている場合には、横方向の力が加わった際にパネルがジョイント部でずれ、力を逃すことができるためパネルやタイルの破損が防止できる。
【００２１】
上記の板材としてはＡＬＣパネルが好適である。仕上げ材としてはタイルのほか、石材やセメント系硬化体などであってもよい。
【００２２】
ジョイントテープ貼付強度増大剤としては、弾性パテ又は弾性接着剤とくに弾性パテが好適である。特に板材間に充填するパテと板材前面に塗布するパテとを同じものとすることが好ましい。
【００２３】
なお、弾性パテを塗布するのに先立ってプライマーを板材に塗布することにより、弾性パテの付着を良好なものとすることができる。
【００２４】
本発明では、タイル等の仕上げ材の張り付け強度を高めるためにネットを下地に取り付けてから仕上げ材張りを行うようにしてもよい。
【発明を実施するための最良の形態】
【００２５】
以下、図面を参照して実施の形態について説明する。
【００２６】
［第１の実施の形態］
第１図は実施の形態に係る外壁構造を示す斜視図、第２図はこの外壁構造及び工法の平部を示す水平断面図である。
【００２７】
柱２、間柱３の前面に透湿防水シート４が張り渡され、その前面側に複数枚のＡＬＣパネル１が各々の木端面を突き合わせるようにして配設されている。このＡＬＣパネル１はビス等によって柱２及び間柱３に留め付けられている。符号Ｊ１はＡＬＣパネル１同士の縦ジョイントを示し、Ｊ２は横ジョイントを示す。
【００２８】
この縦ジョイントＪ１及び横ジョイントＪ２にあっては、ＡＬＣパネル１の木端面同士の突き合わせ面のうち前面側は、ＡＬＣパネル１の前面から凹む溝状の凹所となっている。
【００２９】
この凹所の奥側にシーリング５が充填され、このシーリング５の前面側に弾性パテ（以下、単にパテと記載することがある。）６が充填されている。
【００３０】
このシーリング５としては変性シリコン、ポリウレタン、アクリル系シーリング材が好適である。また、パテ６としてはアクリルエマルジョン、ポリウレタンが好適である。
【００３１】
この縦ジョイントＪ１及び横ジョイントＪ２近傍のＡＬＣパネル１の前面にプライマー７が塗布され、このプライマー７を塗布した面に重なるように、且つ縦ジョイントＪ１を跨ぐようにしてジョイントテープ１０が貼り付けられ、横ジョイントＪ２を跨ぐようにしてジョイントテープ１１が貼り付けられている。ジョイントテープ１０，１１は、帯状の不織布の一方の面に粘着材料としてブチルゴムを付着ないし含漬させた片面粘着テープであり、厚み方向及び面方向の双方に弾力性（クッション性）を有している。
【００３２】
なお、縦ジョイントＪ１を跨ぐジョイントテープ１０の左右幅は、タイル１３の左右幅よりも好ましくは５〜３５ｍｍ特に１０〜１５ｍｍ程度大きくなっている。また、横ジョイントＪ２を跨ぐジョイントテープ１１の上下幅は、タイル１３の上下幅よりも好ましくは５〜３５ｍｍ特に５〜１０ｍｍ程度大きくなっている。このため、１枚のタイル１３が、隣接する２枚のＡＬＣパネル１に直に接合されることはない。このジョイントテープ１０，１１及びそれ以外のＡＬＣパネル１の前面の全体に弾性接着剤１２を塗布する。
【００３３】
この弾性接着剤１２としては、変性エポキシ系あるいは変性シリコーン系接着剤等を用いることができる。その後、この弾性接着剤１２の上にタイル１３を押し付けるようにして張り付ける。タイル１３の割り付けに際しては、タイル１３がジョイントＪ１，Ｊ２に重なってもよいようにする。その結果、一部のタイル１３はジョイントＪ１又はＪ２に跨って存在する。
【００３４】
このように構成された外壁構造にあっては、ＡＬＣパネル１同士が剛に結合されておらず、建物の層間変位に追従して各ＡＬＣパネル１が動き得る。従って、地震等によって建物が揺れてもＡＬＣパネル１やタイル１３の損傷が防止される。
【００３５】
即ち、ＡＬＣパネル１のジョイントＪ１又はＪ２を跨ぐようにタイル１３が張られていても、このジョイントＪ１又はＪ２を跨ぐタイル１３の下側にはジョイントテープ１０又は１１が存在し、１枚のタイル１３が隣接する２枚のＡＬＣパネル１に直に接着されることはない。従って左右に隣接するＡＬＣパネル同士が左右に離間するように動いたり、上下のＡＬＣパネル同士がズレるように動いたときでも、タイル１３に生じる引張応力や剪断応力が小さいものとなり、タイル１３の割れが防止される。
【００３６】
また、タイルのような硬い材料が隣接する２枚のＡＬＣパネル１に直に接着されていると、ＡＬＣパネル１が動いたときに基材強度の弱いＡＬＣパネル１に破損が生じるおそれがあるが、この実施の形態によると上記の通り、タイル１３と少なくとも一方のＡＬＣパネル１との間には全体にわたってジョイントテープ１０又は１１が存在するため、ＡＬＣパネル１の破損も防止される。
【００３７】
この実施の形態では、ＡＬＣパネル１間のパテ６と同じパテ８をＡＬＣパネル１の前面に塗布しているので、使用材料種類が少なくて済み、作業を効率よく行うことができる。また、このＡＬＣパネル前面のパテ８を塗布する前にＡＬＣパネル１にプライマー７を塗布しているので、パテ８のＡＬＣパネル１への付きが良好である。このパテ８とジョイント１０，１１とはなじみが良く、ジョイント１０，１１の付着が良好である。
【００３８】
［第２の実施の形態］
外壁構造を出隅に適用した実施の形態に係る構造を第３図に示す。第３図は建物出隅の水平断面図である。
【００３９】
この出隅にあっては、コーナー部の柱２の外面に沿って透湿防水シート４が張り回され、その上にＬ形断面形状のＡＬＣパネル１Ａが配置されている。このＡＬＣパネル１Ａはビス等によって柱２に留め付けられている。ＡＬＣパネル１Ａの左右両側には前記の平板状のＡＬＣパネル１が配置されている。
【００４０】
ＡＬＣパネル１，１Ａ間の縦ジョイントには、若干の隙間があいている。この隙間にバックアップ材１６が充填され、その前面側にシーリング５が充填され、さらにその前面側にパテ６が充填されている。
【００４１】
出隅を挟んだ一方の側の縦ジョイントから他方の側の縦ジョイントに至るまでパテ８が塗布されている。なお、図示は省略するが、ＡＬＣパネル１，１Ａの前面のうちこのパテ８を塗布する領域を含む一帯にプライマーを塗布しておく。
【００４２】
このパテ８の上にジョイント１０を貼着する。その後、ジョイント１０及びＡＬＣパネル１，１Ａの前面に接着剤を塗布し、タイル１３，１３Ａを張り付ける。なお、タイル１３ＡはＬ形の役物タイルである。
【００４３】
この出隅においても、上記第１，２図と同様の作用効果が奏される。
【００４４】
［第３の実施の形態］
タイル１３よりも左右幅の大きいセメント擬石などよりなる仕上げ建材１４を施工する場合を第４図に示す。
【００４５】
この第４図の実施の形態では、仕上げ建材１４の左右幅が１枚のジョイントテープ１０の左右幅よりも大きいので、ジョイントテープ１０に隣接してもう１枚のジョイントテープ１５をＡＬＣパネル１の前面に貼っている。なお、このジョイントテープ１５を貼る領域にもプライマー７を塗布し、パテ８を塗布しておくのが好ましい。ジョイントテープ１０，１５の合計の左右幅は仕上げ建材１４の左右幅よりも大となっている。第４図のその他の施工手順及び構造は第１，２図と同様であり、同一符号は同一部分を示している。
【００４６】
この実施の形態においても、１枚の仕上げ建材１４が隣接する２枚のＡＬＣパネル１に直に接着されることがない。即ち、ジョイントを跨ぐ仕上げ建材１４と少なくとも一方のＡＬＣパネル１との間には全体にわたって必らずジョイント１０又は１１が存在するので、仕上げ建材１４やＡＬＣパネル１の損傷が防止される。
【００４７】
［第４の実施の形態］
既存外壁を構成しているＡＬＣパネルの上にタイル張りを施す場合には、ＡＬＣパネルの上に合成繊維製のネットを留め付けてからタイル張りするのが好ましい。即ち、このネットを用いることにより、タイルの付着力が向上する。
【００４８】
第５図はかかる構成の実施の形態を示す斜視図である。
【００４９】
第１，２図の場合と全く同じ手順に従って、プライマー７及びパテ８をＡＬＣパネル１に塗布する。この実施の形態では、プライマー７はＡＬＣパネル１の全面に塗布している。その後、ジョイント１０，１１を縦横のジョイントＪ１，Ｊ２を跨ぐように貼り付ける。次いで、ネット２０をＡＬＣパネル１の前面に張り巡らせ、ワッシャ２１及びビス２２を用いて該ネット２０をＡＬＣパネル１にしっかりと固定する。なお、ビス２２留めまでの間、ネット２０をＡＬＣパネル１に仮留めするために両面接着テープよりなる仮留めテープ１９をＡＬＣパネル１の前面の適宜の箇所（ただしジョイント１０，１１以外の箇所）に貼着しておき、ネット２０をこの仮留めテープ１９に付着させている。この仮留めテープ１９の代わりにステープルなどを打つことによりネット２０を仮留めしておいてもよい。
【００５０】
ネット２０を上記の通りワッシャ２１及びビス２１で固定した後、ネット２０を塗り込めるようにして接着剤１２を塗布し、タイル１３を張る。
【００５１】
この第５図の実施の形態によっても、第１，２図と同様に地震時等におけるタイル１３やＡＬＣパネル１の損傷を防止することができる。
【００５２】
第５図は第１，２図の手法を利用してタイル１３を張り付けているが、第４図のように左右幅の大きい仕上げ建材１４を張るときには、第４図のようにジョイントテープ１５を増し張りすればよい。
【００５３】
上記実施の形態は本発明の一例であり、本発明は図示以外の形態をもとりうる。例えば、第１図〜第４図の実施の形態において、プライマーをＡＬＣパネル１の全面に塗布してもよく、また逆にプライマーを省略してもよい。タイル間には弾性目地材料を充填してもよい。またＡＬＣパネルに限らず、金属サイディングパネルやセメント板等でもよい。
【図面の簡単な説明】
【００５４】
【図１】実施の形態に係る外壁構造の説明図である。
【図２】図１の外壁構造の平部の断面図である。
【図３】外壁構造の出隅部の断面図である。
【図４】別の実施の形態に係る外壁構造の説明図である。
【図５】別の実施の形態に係る外壁構造の説明図である。
【符号の説明】
【００５５】
１  ＡＬＣパネル
５  シーリング
１０，１１，１５  ジョイントテープ
１２  弾性接着剤
１３  タイル
１４  仕上げ建材
２０  ネット
２１  ワッシャ
２２  ビス
【図１】
2008231728.tif 000003
【図２】
2008231728.tif 000004
【図３】
2008231728.tif 000005
【図４】
2008231728.tif 000006
【図５】
2008231728.tif 000007